(57)【要約】【課題】複数回のオートフォーカス撮影を行う場合に合焦対象エリアの設定を任意かつ容易に行う。【解決手段】オートフォーカス機能を備えた撮像装置において、レリーズ操作に応答する撮影動作に先立ち、ユーザの設定操作に従い、複数のフォーカスエリアを各フォーカスエリアの使用順とともに設定する（ＳＡ３，ＳＡ４）。設定した複数のフォーカスエリアの各々を、撮影動作時のフォーカスエリアとして、例えばレリーズボタンの操作がある毎に、前記使用順に応じた順に切り替えながらオートフォーカス撮影を実行する（ＳＡ６〜ＳＡ１４）。【選択図】図１
2014021318.tif 000002
【特許請求の範囲】
【請求項１】
オートフォーカス機能を備えた撮像装置において、
レリーズ操作に応答する撮影動作に先立つユーザの位置設定操作に従い、複数のフォーカスエリア位置を任意に設定するフォーカスエリア設定手段と、
前記フォーカスエリア設定手段により設定された複数のフォーカスエリアの各々を、前記フォーカスエリア設定手段による設定後に撮影動作時のフォーカスエリアとして切り替えながらオートフォーカス撮影を行う撮影処理を実行する撮影制御手段と
を備えることを特徴とする撮像装置。
【請求項２】
前記撮影制御手段は、前記フォーカスエリア設定手段により設定された前記複数のフォーカスエリアを任意の順番で、撮影動作時のフォーカスエリアとして切り替えながらオートフォーカス撮影を行う撮影処理を実行することを特徴とする請求項１記載の撮像装置。
【請求項３】
前記フォーカスエリア設定手段は、前記複数のフォーカスエリアの使用順を前記位置とともに設定し、
前記撮影制御手段は、前記フォーカスエリア設定手段により設定された前記複数のフォーカスエリアを前記設定された使用順で、撮影動作時のフォーカスエリアとして切り替えながらオートフォーカス撮影を行う撮影処理を実行することを特徴とする請求項２記載の撮像装置。
【請求項４】
前記撮影制御手段は、ユーザによるレリーズ操作が行われる毎にフォーカスエリアを順に切り替えるオートフォーカス撮影を行う撮影処理を実行することを特徴とする請求項１乃至３のいずれか記載の撮像装置。
【請求項５】
前記撮影制御手段は、ユーザによるレリーズ操作に応答し、前記フォーカスエリア設定手段により設定された複数のフォーカスエリアの全てを各回の撮影動作時のフォーカスエリアとして前記使用順に切り替えながら各オートフォーカス撮影を行う撮影処理を実行することを特徴とする請求項３記載の撮像装置。
【請求項６】
前記レリーズ操作は、レリーズボタンの半押し操作とレリーズボタンの全押し操作とからなり、
前記全押し操作の直前に前記半押し操作が連続して行われた回数を加算し、前記複数のフォーカスエリアから、前記回数に対応する使用順が割り当てられているフォーカスエリアを順に特定する特定手段を更に備え、
前記撮影制御手段は、連続した前記半押し操作に続く前記全押し操作に応答し、フォーカスエリアを前記特定手段により特定されているフォーカスエリアに切り替えてオートフォーカス撮影を行う撮影処理を実行する
ことを特徴とする請求項３記載の撮像装置。
【請求項７】
タッチパネルとして機能する表示画面を有する表示手段を更に備え、
前記フォーカスエリア設定手段は、ユーザによりタッチされた前記表示画面の複数の場所に応じた任意の複数エリアを前記複数のフォーカスエリアとして設定するとともに、前記複数の場所のタッチ順を各フォーカスエリアの使用順として設定する
ことを特徴とする請求項３乃至６いずれか記載の撮像装置。
【請求項８】
前記フォーカスエリア設定手段により設定されるフォーカスエリアは、予め決められている固定エリアであることを特徴とする請求項１乃至７記載の撮像装置。
【請求項９】
前記フォーカスエリア設定手段は、移動する特定の被写体の位置を前記複数のフォーカスエリアとして使用順とともに設定する一方、
逐次撮像した画像において、前記フォーカスエリア設定手段によりフォーカスエリアとして設定された移動体を追跡する追跡手段を更に備え、
前記撮影制御手段は、前記使用順に応じた順に切り替えた撮影動作時のフォーカスエリアが前記移動体である場合には、前記追跡手段により追跡されている移動体の位置に相当するエリアをフォーカスエリアとするオートフォーカス撮影を行う撮影処理を実行する
ことを特徴とする請求項６又は７，８記載の撮像装置。
【請求項１０】
前記フォーカスエリア設定手段による複数のフォーカスエリアの設定中に、設定済みフォーカスエリアの使用順を、撮像された画像を表示する表示手段に識別可能に表示させる第１の表示制御手段と
を更に備えることを特徴とする請求項７又は８，９記載の撮像装置。
【請求項１１】
前記特定手段により特定されたフォーカスエリアを、撮像された画像を表示する表示手段に識別可能に表示させる第２の表示制御手段と
を更に備えることを特徴とする請求項６記載の撮像装置。
【請求項１２】
前記第２の表示制御手段は、ユーザによる表示操作に応答して、前記特定手段により特定されたフォーカスエリアを、撮像された画像を表示する表示手段に識別可能に表示させることを特徴とする請求項１１記載の撮像装置。
【請求項１３】
前記フォーカスエリア設定手段は、複数のフォーカスエリア及び該フォーカスエリアの使用順を設定する毎に、設定したフォーカスエリアを対象とするオートフォーカス動作を実施して合焦位置を取得し、取得した合焦位置を各フォーカスエリアの使用順とともに設定し、
前記撮影制御手段は、前記フォーカスエリア設定手段により設定された複数のフォーカスエリアの合焦位置の各々を、撮影動作時の合焦位置として、対応するフォーカスエリアの前記使用順に応じた順に切り替えながらオートフォーカス撮影を行う撮影処理を実行する
ことを特徴とする請求項９乃至１１いずれか記載の撮像装置。
【請求項１４】
オートフォーカス機能を備えた撮像装置における撮影方法であって、
レリーズ操作に応答する撮影動作に先立ち、ユーザの位置設定操作に従い、複数のフォーカスエリア位置を任意に設定する工程と、
設定した複数のフォーカスエリアの各々を、前記フォーカスエリア設定手段による設定後に撮影動作時のフォーカスエリアとして切り替えながらオートフォーカス撮影処理を実行する工程と
を含むことを特徴とする撮影方法。
【請求項１５】
オートフォーカス機能を備えた撮像装置が有するコンピュータを、
レリーズ操作に応答する撮影動作に先立つユーザの位置設定操作に従い、複数のフォーカスエリア位置を任意に設定するフォーカスエリア設定手段と、
前記フォーカスエリア設定手段により設定された複数のフォーカスエリアの各々を、前記フォーカスエリア設定手段による設定後に撮影動作時のフォーカスエリアとして切り替えながらオートフォーカス撮影を行う撮影処理を実行する撮影制御手段と
して機能させることを特徴とするプログラム。
【発明の詳細な説明】
【技術分野】
【０００１】
本発明は、撮像装置においてオートフォーカス機能を利用する技術に関するものである。
【背景技術】
【０００２】
従来、デジタルカメラ等の撮像装置においてオートフォーカス機能を利用する撮影方法として、例えば下記特許文献１には以下の技術が記載されている。
【０００３】
すなわち下記特許文献１には、複数のフォーカスエリアと一対一の関係にある一群の押圧スイッチを設け、押圧された何れかのスイッチの番号と同じ番号が表示されているフォーカスエリアを合焦対象エリアとしてユーザが任意に選択し、撮影時には、選択されたフォーカスエリアに表示されている被写体に焦点を合わせる技術が記載されている。
【先行技術文献】
【特許文献】
【０００４】
【特許文献１】特開２００６−３９１８９号公報
【発明の概要】
【発明が解決しようとする課題】
【０００５】
しかしながら、上記の技術は単に１回の撮影時に合焦対象エリアとして使用するフォーカスエリアが指定できるにものに過ぎず、複数回の撮影を行う場合に合焦対象エリアの設定を任意かつ容易に行うことができないという問題があった。
【０００６】
本発明は、かかる従来の課題に鑑みてなされたものであり、複数回のオートフォーカス撮影を行う場合に合焦対象エリアの設定を任意かつ容易に行うことができる撮像装置、撮影方法及びプログラムを提供することを目的とする。
【課題を解決するための手段】
【０００７】
前記課題を解決するため、本発明においては、オートフォーカス機能を備えた撮像装置において、レリーズ操作に応答する撮影動作に先立つユーザの位置設定操作に従い、複数のフォーカスエリア位置を任意に設定するフォーカスエリア設定手段と、前記フォーカスエリア設定手段により設定された複数のフォーカスエリアの各々を、前記フォーカスエリア設定手段による設定後に撮影動作時のフォーカスエリアとして切り替えながらオートフォーカス撮影を行う撮影処理を実行する撮影制御手段とを備えることを特徴とする。
【発明の効果】
【０００８】
本発明によれば、複数回のオートフォーカス撮影を行う場合に合焦対象エリアの設定を任意かつ容易に行うことが可能となる。
【図面の簡単な説明】
【０００９】
【図１】本発明の各実施形態に共通するデジタルカメラを示すブロック図である。
【図２】第１の実施形態におけるフォーカスバンクモードでの撮影処理を示すフローチャートである。
【図３】各実施形態に共通するフォーカスエリア設定中の表示画面の変化を示す図である。
【図４】各実施形態に共通するレリーズボタンの半押し操作に応じた表示画面の変化を示す図である。
【図５】第２の実施形態におけるフォーカスバンクモードでの撮影処理を示すフローチャートである。
【図６】第３の実施形態におけるフォーカスバンクモードでの撮影処理を示すフローチャートである。
【発明を実施するための形態】
【００１０】
（実施形態１）
以下、本発明の第１の実施形態について説明する。図１は、本発明の撮像装置として例示するデジタルカメラ１の電気的構成の概略を示したブロック図である。
【００１１】
デジタルカメラ１はＡＥ（Auto Exposure）、及びＡＦ（Auto Focus）、ＡＷＢ（Auto white balance）等の一般的な機能を備えたものであり、主として以下の各部から構成されている。
【００１２】
すなわちデジタルカメラ１は、レンズブロック２と撮像素子３とを有している。レンズブロック２は、フォーカスレンズを含むレンズ群と、絞りと、レンズ群を駆動するレンズモータ、絞りを開閉駆動するアクチュエータを含み、レンズモータやアクチュエータが光学系駆動部４によって駆動されることにより、焦点位置や撮像素子３の受光量が調整される。
【００１３】
撮像素子３は、駆動回路５によって駆動され、レンズブロック２において集光された被写体の光学像を光電変換し、画像信号としてＡＦＥ６（Analog Front End）へ出力するＣＣＤ（Charge Coupled Device）やＣＭＯＳ（Complementary Meta1 0xide Semiconductor）等の固体撮像素子である。
【００１４】
ＡＦＥ６は、ＣＤＳ（Correlated Double Sampling）回路や、ＰＧＡ（Programmable Gain Amp）、ＡＤＣ（Analog-to-Digital Converter）等から構成される。ＡＦＥ６は、撮像素子３が出力した撮像信号に所定のアナログ処理を行い、アナログ処理後の撮像信号をデジタル信号に変換した後、変換後の画像データを画像処理部７へ出力する。
【００１５】
画像処理部７は、ＡＦＥ６から入力した画素データを一時記憶するバッファ用のメモリ、及び一時記憶した画素データに対して種々の画像処理を行う画像処理回路等から構成される。画像処理部７が行う画像処理は、ガンマ補正や、ホワイトバランス調整、画素毎のＲ，Ｇ，Ｂの色成分データの生成、生成したＲＧＢデータからＹＵＶデータを生成するＹＵＶ変換等である。
【００１６】
また、画像処理部７は、生成した１フレーム分のＹＵＶデータを、撮影待機状態においてはＣＰＵ（Central Processing Unit）８へ供給し、かつ撮影時にはＣＯＤＥＣ（Coder & Decoder：符号器／復号器）９へ供給する。撮影待機状態においてＣＰＵ８へ供給されたＹＵＶデータは表示部１０へ供給され、表示部１０においてライブビュー画像として表示される。
【００１７】
表示部１０は、タッチパネルとして機能する表示画面を有するものであり、バックライト付きのカラー液晶表示パネル１０１と、カラー液晶表示パネル１０１の表面に一体的に設けられた静電容量型等のタッチセンサ１０２とから構成される。なお、図示しないが表示部１０には、カラー液晶表示パネル１０１及びタッチセンサ１０２の駆動回路と、カラー液晶表示パネルにＯＳＤ（On Screen Display）データに基づく情報を表示させる表示処理回路が含まれる。
【００１８】
ＣＯＤＥＣ９は、撮影時に画像処理部７から供給された画像データ（ＹＵＶデータ）をＪＰＥＧ方式による符号化し、また、符号化されている任意の画像データを復号する。撮影時にＣＯＤＥＣ９においてＪＰＥＧ方式で圧縮符号化された画像データは、ＣＰＵ８によって日付情報や画像サイズ等の種々の撮影情報を付加された後、静止画データ（静止画ファイル）として画像メモリ１１に記録される。
【００１９】
画像メモリ１１は、例えばデジタルカメラ１の本体に着脱自在に装着されたメモリカードである。画像メモリ１１に記録された静止画データは、再生時においてＣＰＵ８により適宜読み出され、ＣＯＤＥＣ９において復号された後、表示部１０へ送られて静止画像として再生される。
【００２０】
また、ＣＰＵ８には、操作部１２、ＲＡＭ（Random Access memory）１３、プログラムメモリ１４が接続されている。ＲＡＭ１３はＣＰＵ８のワーキングメモリである。
【００２１】
操作部１２は、電源ボタンやレリーズボタン、及びデジタルカメラ１の基本の動作モードである撮影モードと再生モードとの切り替えに使用されるモード切替ボタンや、デジタルカメラ１の各動作内容の設定等に使用される他の操作ボタンを含む複数の操作スイッチから構成される。なお、レリーズボタンは、半押し操作と全押し操作との２段階操作が可能な構成である。
【００２２】
プログラムメモリ１４は、例えば記憶データが書き換え可能なＥＥＰＲＯＭ（Electric Erasable Programmable Read Only Memory）等である。プログラムメモリ１４には、ＣＰＵ８にデジタルカメラ１の全体の動作を制御させるための制御プログラムや、制御プログラムに付随する各種データ等が記憶されている。
【００２３】
プログラムメモリ１４に記憶されている制御プログラムには、ＣＰＵ８にＡＥ制御、ＡＦ制御、ＡＷＢ制御を行わせるためのプログラムが含まれ、さらに、本実施形態においては、ＣＰＵ８に後述する図２に示した処理を行わせるためのプログラムが含まれる。
【００２４】
そして、以上の構成からなるデジタルカメラ１には、撮影モードにおける下位の動作モードとして、フォーカスエリアを任意の順番で切り替えながら複数回のオートフォーカス撮影を行う特定の撮影モードが設けられている。以下、係る特定の撮影モードをフォーカスバンクモードと称す。ここで、本実施形態におけるフォーカスバンクモードは、ユーザにレリーズボタンの全押しによる撮影指示操作を複数回行わせるものである。
【００２５】
次に、ユーザにより撮影モードとしてフォーカスバンクモードが設定されたときのデジタルカメラ１の動作について説明する。図２は、フォーカスバンクモードにおいてＣＰＵ８が実行する撮影処理を示したフローチャートである。
【００２６】
ＣＰＵ８は、フォーカスバンクモードでの撮影処理を開始すると、撮像素子３を駆動させて、表示部１０にけるライブビュー画像の表示を開始する（ステップＳＡ１）。
【００２７】
次に、ＣＰＵ８は、ユーザに所定の設定操作を行わせることにより、オートフォーカス撮影で使用するフォーカスエリアを複数設定する。
【００２８】
すなわちＣＰＵ８は、ユーザによってタッチパネル（表示部１０の表示画面）がタッチされたか否かをタッチセンサ１０２により検出し、タッチパネルへのタッチが検出できたら（ステップＳＡ２：ＹＥＳ）、ＣＰＵ８は、タッチ位置とタッチされた順番とを記憶する（ステップＳＡ３）。
【００２９】
次にＣＰＵ８は、表示部１０の表示画面（以下、表示画面Ｇという。）に、タッチ位置に応じたフォーカスエリアをＯＳＤ機能によって表示させる（ステップＳＡ４）。本実施形態において、タッチ位置に応じたフォーカスエリアは、タッチ位置を中心とする既定の大きさを有する矩形領域である。ただし、タッチ位置が表示画面Ｇの外周縁に近い場合には、タッチ位置を含む外周縁に接した既定の大きさを有する矩形領域である。なお、フォーカスエリアの形状及び大きさ等は、これに限らず適宜変更可能である。
【００３０】
その後、ＣＰＵ８は、ユーザにより表示画面Ｇのタッチ操作が予め決められている既定回数（ｎ回）に達するまで（ステップＳＡ５：ＮＯ）、ステップＳＡ２〜ステップＳＡ４の処理を繰り返す。この間にユーザにおいて行われる複数回のタッチ操作がフォーカスエリアの設定操作である。
【００３１】
図３は、ステップＳＡ２〜ステップＳＡ４の処理が繰り返される間における表示画面Ｇの変化を示す図であって、前述した既定回数が３回である場合の例である。以下の説明においても既定回数は３回であるものとする。
【００３２】
図３（ａ）は、１回目のタッチ操作に伴い表示された第１のフォーカスエリアＡ１を示した図、図３（ｂ）は、２回目のタッチ操作に伴い表示された第２のフォーカスエリアＡ２を示した図、図３（ｃ）は、３回目のタッチ操作に伴い表示された第３のフォーカスエリアＡ３を示した図である。
【００３３】
また、ＣＰＵ８は、ステップＳＡ４の処理においては、新たなフォーカスエリアを表示した際、新たなフォーカスエリアと、それ以前に表示した全てのフォーカスエリアの色を変える。
【００３４】
つまり、最新のフォーカスエリア（例えば図３（ｃ）のＡ３）と、それ以外のフォーカスエリア（例えば図３（ｃ）のＡ１，Ａ２）で色を異ならせることにより、ＣＰＵ８は、どのフォーカスエリアを新たに追加したのかをユーザに明示する。
【００３５】
その後、ＣＰＵ８は、表示画面Ｇのタッチ回数が既定回数に達し、全てのフォーカスエリアＡ１〜Ａ３が色の違いにより、表示画面Ｇに設定順を識別可能に表示された状態となると（ステップＳＡ５：ＹＥＳ）、以下の処理に進む。
【００３６】
まず、ＣＰＵ８は、レリーズボタンの半押し操作の有無を確認し、半押し操作があるまで待機し（ステップＳＡ６：ＮＯ）、半押し操作があったら（ステップＳＡ６：ＹＥＳ）、表示画面Ｇに表示中の全てのフォーカスエリアの表示を消去した後（ステップＳＡ７）、半押し操作の回数を加算とする（ステップＳＡ８）。
【００３７】
ステップＳＡ８の処理は、後述するＡＦ制御で使用するフォーカスエリアを特定するための処理であり、引き続きＣＰＵ８は、先に設定した３つのフォーカスエリアのうちで、半押し操作の回数に応じたフォーカスエリアを特定し撮影時のフォーカスエリアとして設定する（ステップＳＡ９）。つまりＣＰＵ８は、半押し操作の回数が１回目のときには、既説したユーザによるフォーカスエリアの設定操作で１番目に指定された第１のフォーカスエリアを撮影時のフォーカスエリアとして設定する。
【００３８】
次に、ＣＰＵ８は、設定したフォーカスエリアを表示画面Ｇに表示した後（ステップＳＡ１０）、表示中のフォーカスエリアを使用したＡＦ処理を行い、フォーカスエリア内の被写体へピントを合わせる（ステップＳＡ１１）。
【００３９】
引き続き、ＣＰＵ８は、レリーズボタンが全押しされるまで待機し（ステップＳＡ１２：ＮＯ）、レリーズボタンが全押しされたら（ステップＳＡ１２：ＹＥＳ）、撮影処理を行う（ステップＳＡ１３）。すなわちＣＰＵ８は、撮像素子３により記録用の画像を取得し、取得した画像、すなわち撮影画像を画像メモリ１１に記憶させる。
【００４０】
その後、ＣＰＵ８は、既定回数の撮影が終了するまでは（ステップＳＡ１４：ＮＯ）、ステップＳＡ６の処理に戻り、前述した処理を繰り返す。なお、ここでは、既定の撮影回数が、既説したフォーカスエリアの設定操作でユーザが設定可能なフォーカスエリアの数に相当する３回であるものとする。
【００４１】
そして、ＣＰＵ８は、ステップＳＡ６以降の処理を繰り返す間には、レリーズボタンの半押し操作がある毎に、ＡＦ処理で使用するフォーカスエリアを、第２のフォーカスエリア、第３のフォーカスエリアに順に切り替え、それを表示画面Ｇに表示した後、レリーズボタンの全押し操作に応答してＡＦ処理、及び撮影処理を実行する。
【００４２】
図４は、レリーズボタンが半押しされる毎に表示画面Ｇに表示されるフォーカスエリアを示した図である。すなわち図４（ａ）は、１回目の半押し操作に応じて表示された第１のフォーカスエリアＡ１を示した図、図４（ｂ）は、２回目の半押し操作に応じて表示された第２のフォーカスエリアＡ２を示した図、図４（ｃ）は、３回目の半押し操作に応じて表示された第３のフォーカスエリアＡ３を示した図である。
【００４３】
つまり、ＣＰＵ８は、２回目の撮影に際しては、既説したユーザによるフォーカスエリアの設定操作で２番目に指定された第２のフォーカスエリアを撮影時のフォーカスエリアとして設定し、３回目の撮影に際しては、既説したユーザによるフォーカスエリアの設定操作で３番目に指定された第３のフォーカスエリアを撮影時のフォーカスエリアとして設定する。
【００４４】
そして、ＣＰＵ８は、ユーザによる撮影指示操作（連続したレリーズボタンの半押し及び全押し操作）に伴い３回目の撮影処理が終了した時点で（ステップＳＡ１４：ＹＥＳ）、フォーカスバンクモードでの撮影処理を完了する。
【００４５】
以上説明したように本実施形態のデジタルカメラ１においては、フォーカスバンクモードを使用することにより、複数回のオートフォーカス撮影を実際に行う以前の段階で、表示画面Ｇ内、つまり画角内の位置が異なる複数のフォーカスエリアを任意に設定することができる。しかも、撮影時には、は事前に設定したいずれかのフォーカスエリアを高速に指定して撮影を直ちに行うことができる。したがって、複数回のオートフォーカス撮影を行う場合に合焦対象エリアの設定を任意かつ容易に行うことができる。
【００４６】
特に、本実施形態においては、撮影時にはレリーズボタンによる撮影操作を行うだけで、極めて容易に、実際に使用するフォーカスエリアを予め設定した順番で切り替えることができる。
【００４７】
また、レリーズボタンの連続した半押し操作、及び全押し操作によって撮影指示を行う際には、レリーズボタンの半押し操作時点でカウント（加算）された操作回数、つまり撮影回数によって、使用するフォーカスエリアが特定できることから、レリーズボタンの半押し操作に続く全押し操作により、所望するフォーカスエリアを使用したオートフォーカス撮影を確実に行うことができる。
【００４８】
係ることから、例えば移動体（動きのある被写体）を撮影するときには、予想される移動体の動きに応じて複数のフォーカスエリアを予め設定しておき、撮影時には移動体の動きに応じてレリーズボタンを操作（連続する半押し操作、及び全押し操作）し、順番にフォーカスエリアを切り替えることにより、画角内で移動体が移動しても撮影タイミングを逃すことなく移動体へのピントを合わせた撮影を容易に行うことができる。なお、移動体としては、例えば駅を出発した電車がある。
【００４９】
また、タッチパネルをタッチするだけでフォーカスエリアの位置及び順番を設定することができ、複数のフォーカスエリアの設定操作を容易に行うことができる。
【００５０】
また、複数のフォーカスエリアの設定中には、フォーカスエリアを設定する毎に、設定したフォーカスエリアが表示画面Ｇに表示される。そのため、フォーカスエリア設定中、及び設定後においても設定内容を容易に確認することができる。
【００５１】
さらには、表示画面Ｇ上には各々のフォーカスエリアが設定順を識別可能に表示されることから、設定した複数のフォーカスエリアの設定順をも容易に確認することができる。その結果、複数のフォーカスエリアの設定操作を極めて容易に行うことができる。
【００５２】
また、複数回のオートフォーカス撮影を行う際には、各回の撮影で使用される（使用対象として特定された設定された）フォーカスエリアが表示画面Ｇ上に表示されるため、それらを確認することにより、各回の撮影をより適切なタイミング行うことができる。
【００５３】
ここで、本実施形態においては、ユーザが所望する表示画面Ｇ内の任意の場所に複数のフォーカスエリアを設定できるものについて説明した。しかし、設定可能なフォーカスエリアは、予め決められている固定エリアとしてもよい。
【００５４】
より具体的には、設定可能な複数のフォーカスエリアの全て、又は一部を固定エリアとしてもよい。なお、固定エリアについては、例えば表示画面Ｇを等分、非等分を問わず複数に分割したものとすることができる。
【００５５】
設定可能なフォーカスエリアを固定エリアとすることにより、例えば画角内を移動する特定の被写体が、画角内の複数の背景部分（固定エリア）のうちで所望する背景部分に入ったとき、特定の被写体を主たる被写体としたオートフォーカス撮影を容易、かつ確実に行うことができる。
【００５６】
また、本実施形態においては、表示画面Ｇ内の任意の場所をフォーカスエリアとして設定するものについて説明したが、これに限らず、画角内を移動する特定の被写体、つまり移動体をフォーカスエリアとして設定できる構成としてもよい。
【００５７】
その場合、デジタルカメラ１には、フォーカスエリアを設定した後、逐次撮像した画像において移動体を追跡する構成、及び撮影時には、例えばレリーズボタンが半押しされた時点で追跡されている移動体に相当するエリアをフォーカスエリアに設定し、オートフォーカス撮影を行うようにすればよい。
【００５８】
係る構成を確保することにより、例えば画角内を移動する複数の移動体のうちで所望とする特定の移動体をフォーカスエリアとして予め設定しておけば、他の複数の移動体と共に画角内を移動する特定の移動体を主たる被写体としてピントを合わせるオートフォーカス撮影を容易、かつ確実に行うことができる。
【００５９】
なお、移動体を追跡する際の具体的な方法としては、例えばライブビュー画像の表示中に、各フレームの撮像画像を対象として、フォーカスエリアとして設定された１又は複数の移動体を、パターンマッチング等の公知の画像認識技術を用いて繰り返し検出する方法がある。また、移動体が人物の顔である場合には、公知の被写体識別を含む顔認識技術も移動体の追跡に用いることができる。
【００６０】
また、本実施形態においては、撮影操作時にレリーズボタンが半押しされた時点でＡＦ動作を行う構成としたが、以下のようにしてもよい。例えば複数のフォーカスエリアの設定に際し、表示画面Ｇがタッチされた時点でＡＦ動作を行い合焦位置（フォーカスレンズの位置）を取得し、タッチ位置とタッチ順と共に記憶した後、撮影時には、予め記憶した合焦位置を使用してピント合わせを行う構成としてもよい。
【００６１】
係る構成によれば、撮影操作に応答した各回の撮影時には各々のフォーカスエリアの被写体へのピント合わせを瞬時に行うことができるため、各回の撮影をより適切なタイミング行うことができる。
【００６２】
また、本実施形態においては、連続した撮影を行う間にはレリーズボタンの半押し操作に応じてフォーカスエリアを切り替えるようにしたが、フォーカスエリアの切替えは、レリーズボタンの半押し操作以外の他のボタン操作に応じて行うようにしてもよい。
【００６３】
（実施形態２）
次に、本発明の第２の実施形態について説明する。本実施形態は、第１の実施形態で説明したものと同様の構成を有するデジタルカメラに関するものである。本実施形態のデジタルカメラにおいても、撮影モードにおける下位の動作モードとしてフォーカスバンクモードが設けられている。ただし、本実施形態におけるフォーカスバンクモードは、レリーズボタンによる撮影指示操作をユーザに１回だけ行わせるものである。
【００６４】
図５は、本実施形態においてフォーカスバンクモードが設定されたときＣＰＵ８が実行する撮影処理を示したフローチャートである。
【００６５】
本実施形態においてもＣＰＵ８は、フォーカスバンクモードでの撮影処理を開始すると、撮像素子３を駆動させて、表示部１０にけるライブビュー画像の表示を開始する（ステップＳＢ１）。
【００６６】
次に、ＣＰＵ８は、第１の実施形態で説明したステップＳＡ２〜ステップＳＡ５（図２参照）と同様の処理を行い（ステップＳＢ２〜ステップＳＢ５）、ユーザに所定の設定操作を行わせることによって、オートフォーカス撮影で使用するフォーカスエリアを複数設定する。なお、以下の説明においても設定可能なフォーカスエリアは３つであるものとする。
【００６７】
そして、複数（３つ）のフォーカスエリアを設定した後、ＣＰＵ８は、レリーズボタンの半押し操作の有無を確認し、半押し操作があるまで待機するとともに（ステップＳＢ６：ＮＯ）、半押し操作があったら（ステップＳＢ６：ＹＥＳ）、表示画面Ｇに表示中の全てのフォーカスエリアの表示を消去する（ステップＳＢ７）。ここまでの処理は第１の実施形態と同様である。
【００６８】
一方、本実施形態においてＣＰＵ８は、全てのフォーカスエリアの表示を消去すると、直ちに、既説したフォーカスエリアの設定操作で１番目に指定された第１のフォーカスエリアを撮影時のフォーカスエリアとして設定する（ステップＳＢ８）。
【００６９】
次に、ＣＰＵ８は、設定したフォーカスエリアを表示画面Ｇに表示した後（ステップＳＢ９）、表示中のフォーカスエリアを使用したＡＦ処理を行い、第１のフォーカスエリア内の被写体へピントを合わせる（ステップＳＢ１０）。
【００７０】
そして、ＣＰＵ８は、レリーズボタンが全押しされるまで待機し（ステップＳＢ１１：ＮＯ）、レリーズボタンが全押しされたら（ステップＳＢ１１：ＹＥＳ）、撮影処理を行い、撮影画像を画像メモリ１１に記憶させる（ステップＳＢ１２）。
【００７１】
次に、ＣＰＵ８は、撮影回数が既定回数に達したか否かを確認する（ステップＳＢ１３）。なお、ここでは、既定の撮影回数が既説したフォーカスエリアの設定操作でユーザが設定可能なフォーカスエリアの数に相当する３回であるものとする。そして、１回目の撮影直後は撮影回数が既定回数に達していないため（ステップＳＢ１３：ＮＯ）、ＣＰＵ８は、引き続き以下の処理を行う。
【００７２】
まず、ＣＰＵ８は、撮影回数を加算した後（ステップＳＢ１４）、加算後の撮影回数に応じたフォーカスエリア、つまり第２のフォーカスエリアを撮影時のフォーカスエリアとして新たに設定する（ステップＳＢ１５）。
【００７３】
次に、ＣＰＵ８は、第２のフォーカスエリアを表示画面Ｇに表示した後（ステップＳＢ１６）、第２のフォーカスエリアを使用したＡＦ処理を行い、第２のフォーカスエリア内の被写体へピントを合わせる（ステップＳＢ１７）。しかる後、ＣＰＵ８は、ステップＳＢ１２の処理へ戻り２回目の撮影処理を行う。
【００７４】
２回目の撮影処理を行った直後も、撮影回数が既定回数に達していないため（ステップＳＢ１３：ＮＯ）、引き続きＣＰＵ８は、ステップＳＢ１４〜ステップＳＢ１７の処理を繰り返した後、３回目の撮影を行う（ステップＳＢ１２）。
【００７５】
これに伴い、撮影回数は既定回数に達するため、ＣＰＵ８は、３回目の撮影が終了した時点で（ステップＳＢ１３：ＹＥＳ）、フォーカスバンクモードでの撮影処理を完了する。
【００７６】
なお、図５では省略したが、ＣＰＵ８は、１回目の撮影後にステップＳＢ１６で新たなフォーカスエリアを表示した後、ステップＳＢ１７のＡＦ処理を行うまでの間には、一定時間の処理待ちを行う。係る一定時間は予め決められている時間である。したがって、上記一定時間が、例えば１／３秒であれば、約１／３秒間隔での連続撮影が行われる。
【００７７】
以上説明したように本実施形態のデジタルカメラにおいても、第１の実施形態と同様、フォーカスバンクモードを使用することにより、複数回のオートフォーカス撮影を実際に行う以前の段階で、表示画面Ｇ内の位置が異なる複数のフォーカスエリアを任意に設定することができる。しかも、撮影時には事前に設定したいずれかのフォーカスエリアを高速に設定して撮影を直ちに行うことができる。したがって、複数回のオートフォーカス撮影を行う場合に合焦対象エリアの設定を任意かつ容易に行うことができる。
【００７８】
特に、本実施形態においては、撮影時にはレリーズボタンによる操作を１回行うだけで、実際に使用するフォーカスエリアが予め設定した順番で自動的に切り替わる連続撮影（連写）を行うことができる。
【００７９】
そのため、合焦位置を切り替えながら連続撮影を行う一般的なフォーカスブラケティング撮影と異なり、主たる被写体の位置が異なり、かつ主たる被写体にピントが合った複数枚の撮影画像が取得できるブラケティング撮影を容易に行うことができる。
【００８０】
係ることから、例えば特定の動きがある移動体を三脚等用いて撮影するときには、画角内での移動体の移動経路上の異なる場所にフォーカスエリアを複数設定しておくことにより、撮影時には、単にレリーズボタンを押すだけで、異なる位置の移動体にピントを合わせた連続撮影を極めて容易に行うことができる。なお、特定の動きをする移動体としては、例えば走行中の電車やレース中の自動車のように画角内での動きが比較的速いものが考えられる。
【００８１】
また、第１の実施形態と同様、タッチパネルをタッチするだけでフォーカスエリアの位置及び順番を設定することができ、複数のフォーカスエリアの設定操作を容易に行うことができる。
【００８２】
また、複数のフォーカスエリアの設定中には、フォーカスエリアを設定する毎に、設定したフォーカスエリアが表示画面Ｇに表示される。そのため、フォーカスエリア設定中、及び設定後においても設定内容を容易に確認することができる。
【００８３】
さらには、表示画面Ｇ上には各々のフォーカスエリアが設定順を識別可能に表示されることから、設定した複数のフォーカスエリアの設定順をも容易に確認することができる。その結果、複数のフォーカスエリアの設定操作を極めて容易に行うことができる。
【００８４】
また、複数回のオートフォーカス撮影を行う際には、各回の撮影で使用される（使用対象として特定された）フォーカスエリアが表示画面Ｇ上に表示されるため、連続するオートフォーカス撮影の撮影間隔が比較的長い場合には、各々の撮影時のフォーカスエリアが確認でき、都合がよい。
【００８５】
ここで、本実施形態においては、フォーカスバンクモードでのオートフォーカス撮影の回数が、予め設定したフォーカスエリアの数と同一である場合について説明した。しかし、撮影回数はフォーカスエリアの数とは異なっていてもよく、また、撮影回数をユーザが自由に設定できるようにしてもよい。
【００８６】
なお、設定したフォーカスエリアの数が撮影回数よりも少ない場合には、撮影回数がフォーカスエリアの数を超えた時点で、使用順（設定時のタッチ順）が１番目のフォーカスエリアを再度使用し、以後は、使用するフォーカスエリアの使用順を循環させるようにすればよい。
【００８７】
（実施形態３）
次に、本発明の第３の実施形態について説明する。本実施形態は、第１の実施形態で説明したものと同様の構成を有するデジタルカメラに関するものである。本実施形態のデジタルカメラにおいても、撮影モードにおける下位の動作モードとしてフォーカスバンクモードが設けられている。ただし、本実施形態におけるフォーカスバンクモードは、レリーズボタンを全押し操作する以前に半押し操作が複数回行えるものである。
【００８８】
以下、本実施形態においてフォーカスバンクモードが設定されたときＣＰＵ８が実行する撮影処理を図６のフローチャートに従い説明する。なお、以下の説明においても設定可能なフォーカスエリアは３つであるものとする。
【００８９】
ＣＰＵ８は、第１及び第２の実施形態と同様に、撮影処理の開始とともにライブビュー画像の表示を開始し、既説したユーザによる設定操作に応じて第１のフォーカスエリア〜第３のフォーカスエリアを設定した後には、レリーズボタンの半押し待ちを行う（ステップＳＣ１〜ステップＳＣ６）。
【００９０】
その後、ＣＰＵ８は、レリーズボタンが半押しされると（ステップＳＣ６：ＹＥＳ）、表示画面Ｇに表示中の全てのフォーカスエリアの表示の消去した後（ステップＳＣ７）、半押し操作の回数を加算する（ステップＳＣ８）。
【００９１】
引き続きＣＰＵ８は、先に設定した複数のフォーカスエリアのうちで、半押し操作の回数に応じたフォーカスエリアを特定し撮影時のフォーカスエリアとして設定する（ステップＳＣ９）。処理開始直後の半押し操作の回数は１回であるため、ここではフォーカスエリアの設定操作で１番目に指定された第１のフォーカスエリアを撮影時のフォーカスエリアとして設定する。
【００９２】
しかる後、ＣＰＵ８は、第１のフォーカスエリアを表示画面に表示した後（ステップＳＣ１０）、第１のフォーカスエリアを使用したＡＦ処理を行い、第１のフォーカスエリア内の被写体へピントを合わせる（ステップＳＣ１１）。ここまでの処理は第１の実施形態と同一である。
【００９３】
一方、本実施形態においてＣＰＵ８は、ステップＳＣ１１のＡＦ処理を行った後、レリーズボタンが全押しされたか否かを確認し、レリーズボタンが全押しされなければ（ステップＳＣ１２：ＮＯ）、そのままステップＳＣ６の処理へ戻り、ステップＳＣ６〜ステップＳＣ１１の処理を繰り返す。
【００９４】
その際、半押し操作の回数は２回となるため、撮影時のフォーカスエリアとして第２のフォーカスエリアが設定されるとともに、第２のフォーカスエリアを使用したＡＦ処理によって、第２のフォーカスエリア内の被写体へのピント合わせが行われる。
【００９５】
以後も同様に、ＣＰＵ８は、ユーザによりレリーズボタンが全押しされるまでは、レリーズボタンが半押しされる毎に、つまり、半押しされたレリーズボタンがいったん半押し状態を解除され、再び半押しされる毎に、ステップＳＣ６〜ステップＳＣ１１の処理を繰り返す。
【００９６】
なお、図６では省略したが、ＣＰＵ８は、ステップＳＣ６〜ステップＳＣ１１の処理を繰り返す間には、レリーズボタンの半押し操作の回数が、設定したフォーカスエリアの数（３つ）を超えた時点で、使用順（設定時のタッチ順）が１番目のフォーカスエリアを再び撮影時に使用するフォーカスエリアとして設定し、以後は、使用するフォーカスエリアの使用順を循環させる。
【００９７】
その後、ＣＰＵ８は、半押しされたレリーズボタンが半押し状態を解除されることなく、そのまま全押しされると（ステップＳＣ１２：ＹＥＳ）、撮影処理を行い、撮影画像を画像メモリ１１に記憶させる（ステップＳＣ１３）。これにより、フォーカスバンクモードでの撮影処理を完了する。
【００９８】
以上説明したように本実施形態のデジタルカメラにおいても、第１の実施形態と同様、フォーカスバンクモードを使用することにより、複数回のオートフォーカス撮影を実際に行う以前の段階で、表示画面Ｇ内の位置が異なる複数のフォーカスエリアを任意に設定することができる。しかも、撮影時には事前に設定したいずれかのフォーカスエリアを高速に指定して撮影を直ちに行うことができる。したがって、複数回のオートフォーカス撮影を行う場合に合焦対象エリアの設定を任意かつ容易に行うことができる。
【００９９】
特に、本実施形態におけるフォーカスバンクモードでの撮影時には、レリーズボタンが全押しされる以前には、レリーズボタンが半押し操作される毎に、撮影時に使用するフォーカスエリアが順番に切り替わる。
【０１００】
そのため、ユーザはレリーズボタンを全押しする以前に、必要に応じてレリーズボタンの半押し操作を繰り返すだけで、所望するフォーカスエリアを使用したオートフォーカス撮影を確実に行うことができる。
【０１０１】
係ることから、例えば移動体（動きのある被写体）を撮影するときには、移動体が画角内で意図しない方向へ移動した場合には、適宜レリーズボタンを半押してフォーカスエリアを切り替えることにより、撮影タイミングを逃すことなく移動体へのピントを合わせた撮影を容易に行うことができる。
【０１０２】
また、本実施形態においても、第１の実施形態と同様、タッチパネルをタッチするだけでフォーカスエリアの位置及び順番を設定することができ、複数のフォーカスエリアの設定操作を容易に行うことができる。
【０１０３】
また、複数のフォーカスエリアの設定中には、フォーカスエリアを設定する毎に、設定したフォーカスエリアが表示画面Ｇに表示される。そのため、フォーカスエリア設定中、及び設定後においても設定内容を容易に確認することができる。
【０１０４】
さらには、表示画面Ｇ上には各々のフォーカスエリアが設定順を識別可能に表示されることから、設定した複数のフォーカスエリアの設定順をも容易に確認することができる。その結果、複数のフォーカスエリアの設定操作を極めて容易に行うことができる。
【０１０５】
ここで、本実施形態においては、ＣＰＵ８が、１回の撮影を行う毎にフォーカスバンクモードでの処理を完了するものについて説明したが、ＣＰＵ８には以下のような処理を行わせてもよい。
【０１０６】
例えば、ＣＰＵ８には、レリーズボタンの全押し操作に応じ撮影処理を行った後、再び前述したステップＳＣ６以降の処理を行わせ、撮影回数が予め決められている回数となった時点で、フォーカスバンクモードでの処理を完了する処理を行わせてもよい。係る処理をＣＰＵ８に行わせることにより、フォーカスエリアを任意の順番で切り替えながら行う複数回のオートフォーカス撮影を容易に行うことができる。
【０１０７】
さらに、ＣＰＵ８には、撮影回数に関係なく、ユーザによってレリーズボタン以外の予め決められた操作ボタンや、任意の操作ボタンが操作されるまで、ステップＳＣ６〜ステップＳＣ１３の処理を繰り返す処理を行わせてもよい。
【０１０８】
また、フォーカスエリアの設定順と、レリーズ操作による撮影順は異なっていてもよい。
【０１０９】
また、以上説明した第１乃至第３の実施形態においては、本発明の撮像装置としてデジタルカメラを示したが、言うまでもなく、本発明は一般的なデジタルカメラに限らずスマートフォンを含む携帯電話端末等の他の装置に内蔵された撮像装置にも適用することができる。
【０１１０】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。
【０１１１】
以下に、本出願の当初の特許請求の範囲に記載された発明を付記する。
［請求項１］
オートフォーカス機能を備えた撮像装置において、レリーズ操作に応答する撮影動作に先立つユーザの位置設定操作に従い、複数のフォーカスエリア位置を任意に設定するフォーカスエリア設定手段と、前記フォーカスエリア設定手段により設定された複数のフォーカスエリアの各々を、前記フォーカスエリア設定手段による設定後に撮影動作時のフォーカスエリアとして切り替えながらオートフォーカス撮影を行う撮影処理を実行する撮影制御手段とを備えることを特徴とする撮像装置。
［請求項２］
前記撮影制御手段は、前記フォーカスエリア設定手段により設定された前記複数のフォーカスエリアを任意の順番で、撮影動作時のフォーカスエリアとして切り替えながらオートフォーカス撮影を行う撮影処理を実行することを特徴とする請求項１記載の撮像装置。
［請求項３］
前記フォーカスエリア設定手段は、前記複数のフォーカスエリアの使用順を前記位置とともに設定し、前記撮影制御手段は、前記フォーカスエリア設定手段により設定された前記複数のフォーカスエリアを前記設定された使用順で、撮影動作時のフォーカスエリアとして切り替えながらオートフォーカス撮影を行う撮影処理を実行することを特徴とする請求項２記載の撮像装置。
［請求項４］
前記撮影制御手段は、ユーザによるレリーズ操作が行われる毎にフォーカスエリアを順に切り替えるオートフォーカス撮影を行う撮影処理を実行することを特徴とする請求項１乃至３のいずれか記載の撮像装置。
［請求項５］
前記撮影制御手段は、ユーザによるレリーズ操作に応答し、前記フォーカスエリア設定手段により設定された複数のフォーカスエリアの全てを各回の撮影動作時のフォーカスエリアとして前記使用順に切り替えながら各オートフォーカス撮影を行う撮影処理を実行することを特徴とする請求項３記載の撮像装置。
［請求項６］
前記レリーズ操作は、レリーズボタンの半押し操作とレリーズボタンの全押し操作とからなり、前記全押し操作の直前に前記半押し操作が連続して行われた回数を加算し、前記複数のフォーカスエリアから、前記回数に対応する使用順が割り当てられているフォーカスエリアを順に特定する特定手段を更に備え、前記撮影制御手段は、連続した前記半押し操作に続く前記全押し操作に応答し、フォーカスエリアを前記特定手段により特定されているフォーカスエリアに切り替えてオートフォーカス撮影を行う撮影処理を実行することを特徴とする請求項３記載の撮像装置。
［請求項７］
タッチパネルとして機能する表示画面を有する表示手段を更に備え、前記フォーカスエリア設定手段は、ユーザによりタッチされた前記表示画面の複数の場所に応じた任意の複数エリアを前記複数のフォーカスエリアとして設定するとともに、前記複数の場所のタッチ順を各フォーカスエリアの使用順として設定することを特徴とする請求項３乃至６いずれか記載の撮像装置。
［請求項８］
前記フォーカスエリア設定手段により設定されるフォーカスエリアは、予め決められている固定エリアであることを特徴とする請求項１乃至７記載の撮像装置。
［請求項９］
前記フォーカスエリア設定手段は、移動する特定の被写体の位置を前記複数のフォーカスエリアとして使用順とともに設定する一方、逐次撮像した画像において、前記フォーカスエリア設定手段によりフォーカスエリアとして設定された移動体を追跡する追跡手段を更に備え、前記撮影制御手段は、前記使用順に応じた順に切り替えた撮影動作時のフォーカスエリアが前記移動体である場合には、前記追跡手段により追跡されている移動体の位置に相当するエリアをフォーカスエリアとするオートフォーカス撮影を行う撮影処理を実行することを特徴とする請求項６又は７，８記載の撮像装置。
［請求項１０］
前記フォーカスエリア設定手段による複数のフォーカスエリアの設定中に、設定済みフォーカスエリアの使用順を、撮像された画像を表示する表示手段に識別可能に表示させる第１の表示制御手段とを更に備えることを特徴とする請求項７又は８，９記載の撮像装置。
［請求項１１］
前記特定手段により特定されたフォーカスエリアを、撮像された画像を表示する表示手段に識別可能に表示させる第２の表示制御手段とを更に備えることを特徴とする請求項６記載の撮像装置。
［請求項１２］
前記第２の表示制御手段は、ユーザによる表示操作に応答して、前記特定手段により特定されたフォーカスエリアを、撮像された画像を表示する表示手段に識別可能に表示させることを特徴とする請求項１１記載の撮像装置。
［請求項１３］
前記フォーカスエリア設定手段は、複数のフォーカスエリア及び該フォーカスエリアの使用順を設定する毎に、設定したフォーカスエリアを対象とするオートフォーカス動作を実施して合焦位置を取得し、取得した合焦位置を各フォーカスエリアの使用順とともに設定し、前記撮影制御手段は、前記フォーカスエリア設定手段により設定された複数のフォーカスエリアの合焦位置の各々を、撮影動作時の合焦位置として、対応するフォーカスエリアの前記使用順に応じた順に切り替えながらオートフォーカス撮影を行う撮影処理を実行することを特徴とする請求項９乃至１１いずれか記載の撮像装置。
［請求項１４］
オートフォーカス機能を備えた撮像装置における撮影方法であって、レリーズ操作に応答する撮影動作に先立ち、ユーザの位置設定操作に従い、複数のフォーカスエリア位置を任意に設定する工程と、設定した複数のフォーカスエリアの各々を、前記フォーカスエリア設定手段による設定後に撮影動作時のフォーカスエリアとして切り替えながらオートフォーカス撮影処理を実行する工程とを含むことを特徴とする撮影方法。
［請求項１５］
オートフォーカス機能を備えた撮像装置が有するコンピュータを、レリーズ操作に応答する撮影動作に先立つユーザの位置設定操作に従い、複数のフォーカスエリア位置を任意に設定するフォーカスエリア設定手段と、前記フォーカスエリア設定手段により設定された複数のフォーカスエリアの各々を、前記フォーカスエリア設定手段による設定後に撮影動作時のフォーカスエリアとして切り替えながらオートフォーカス撮影を行う撮影処理を実行する撮影制御手段として機能させることを特徴とするプログラム。
【符号の説明】
【０１１２】
１    デジタルカメラ
２    レンズブロック
３    撮像素子
４    光学系駆動部
５    駆動回路
６    ＡＦＥ
７    画像処理部
８    ＣＰＵ
９    ＣＯＤＥＣ
１０    表示部
１０１    カラー液晶表示パネル
１０２    タッチセンサ
１１    画像メモリ
１２    操作部
１３    ＲＡＭ
１４    プログラムメモリ
Ａ１〜Ａ３    フォーカスエリア
Ｇ    表示画面
【図１】
2014021318.tif 000003
【図２】
2014021318.tif 000004
【図３】
2014021318.tif 000005
【図４】
2014021318.tif 000006
【図５】
2014021318.tif 000007
【図６】
2014021318.tif 000008